(57)【要約】【課題】無線ネットワークを介して、インターレースされたブロードキャスト・トラフィックを効率的に多重化するための方法を提供すること。【解決手段】本多重化方式は、未使用のスロットを少なくともいくつかの基地局内で編成し、その結果、ハイブリッドＡＲＱを使用するユニキャスト・トラフィックをそれらの中で送達することができる。【選択図】図７
2006060822.tif 000002
【特許請求の範囲】
【請求項１】
ｎスロット・インターレース構造を使用して、送信を第１および第２のセル内で調整するための方法であって、
ブロードキャスト情報の第１のブロックを第１および第２のサブパケットに変換する工程と、
前記第１のサブパケットを第１のタイム・スロット中に前記第１および第２のセル内で送信する工程と、
前記第２のサブパケットを第２のタイム・スロット中に前記第２のセル内で送信する工程と、
前記ブロードキャスト情報の第２のブロックを第３および第４のサブパケットに変換する工程と、
前記第３のサブパケットをｎ＋１タイム・スロット中に前記第１および第２のセル内で送信する工程と、
前記第４のサブパケットをｎ＋２タイム・スロット中に前記第２のセル内で送信する工程とを含む方法。
【請求項２】
ユニキャスト情報を前記第２のタイム・スロット中に前記第１のセル内で送信する工程と、
前記ユニキャスト情報を前記ｎ＋２タイム・スロット中に前記第１のセル内で再送信する工程とをさらに含む請求項１に記載の方法。
【請求項３】
前記ユニキャスト情報を前記ｎ＋２タイム・スロット中に前記第１のセル内で再送信する工程が、ユニキャスト情報を前記第２のタイム・スロット中に前記第１のセル内で送信する工程に関連して否定応答信号を受信したことに応答して行われる請求項２に記載の方法。
【請求項４】
ユニキャスト情報を前記第２のタイム・スロット中に前記第１のセル内で送信する工程に関連して肯定応答信号を受信したことに応答して、前記ユニキャスト情報を前記ｎ＋２スロット中に前記第１のセル内で再送信する工程を終了する工程をさらに含む請求項２に記載の方法。
【請求項５】
ｎスロット・インターレース構造を使用して、ブロードキャスト送信を第１および第２のセルから受信するための方法であって、
第１のサブパケットを第１のタイム・スロット中に前記第１および第２のセルから受信する工程と、
第２のサブパケットを第２のタイム・スロット中に前記第２のセルから受信する工程と、
前記第１および第２のセルから受信された前記第１のサブパケット同士を組み合わせる工程と、
第３のサブパケットをｎ＋１タイム・スロット中に前記第１および第２のセルから受信する工程と、
第４のサブパケットをｎ＋２タイム・スロット中に前記第２のセルから受信する工程と、
前記第１および第２のセルから受信された前記第３のサブパケット同士を組み合わせる工程と、
ユニキャスト情報の第１のサブパケットを前記第２のタイム・スロット中に前記第１のセルから受信する工程と、
ユニキャスト情報の前記第１のサブパケットの再送信を前記ｎ＋２タイム・スロット中に前記第１のセルから受信する工程とを含む方法。
【請求項６】
ｎスロット・インターレース構造を使用して、送信を第１および第２のセル内で調整するための方法であって、
ブロードキャスト情報の複数のブロックから複数の第１および第２のサブパケットを形成する工程と、
前記第１のサブパケットの１つを、各ｎスロット・インターレース構造内で第１の共通のタイム・スロット中に前記第１および第２のセル内で定期的に送信する工程と、
前記第２のサブパケットの１つを、各ｎスロット・インターレース構造内で第２の共通のタイム・スロット中に前記第２のセル内で定期的に送信する工程と、
前記第１および第２のサブパケットの送信がない、各ｎスロット構造内の前記スロットの少なくとも一部分内でユニキャスト情報を送信する工程とを含む方法。
【請求項７】
前記第１および第２のサブパケットの送信がない、各ｎスロット構造内の前記スロットの少なくとも一部分内でユニキャスト情報を送信する工程が、
前記ユニキャスト情報から複数のサブパケットを形成する工程と、
前記ユニキャスト・サブパケットを、各ｎスロット・インターレース構造内で前記第２の共通のタイム・スロット中に前記第１のセル内で送信する工程をさらに含む請求項６に記載の方法。
【請求項８】
前記ユニキャスト・サブパケットを、各ｎスロット・インターレース構造内で前記第２の共通のタイム・スロット中に前記第１のセル内で送信する工程が、肯定応答信号を受信したことに応答して終了される請求項７に記載の方法。
【発明の詳細な説明】
【技術分野】
【０００１】
本発明は、一般に遠隔通信に関し、より詳細には、無線通信に関する。
【背景技術】
【０００２】
無線データ・システムの分野では、１ｘＥＶ−ＤＯ、１ｘＥＶ−ＤＶ、ならびにユニバーサル移動通信システム（ＵＭＴＳ）における高速ダウンリンク・パケット・アクセス（ＨＳＤＰＡ）仕様など、いくつかの周知の標準が使用されている。高速スケジューリング、適応変調符号化（ＡＭＣ）、ハイブリッドＡＲＱ（ＨＡＲＱ）など、より新しい技術もまた、全体的なシステム能力を改善するために導入されている。しかし、上述の技法の適用は、ユニキャスト・トラフィック用のデータ・ブロック、すなわち単一の移動局宛のデータ・ブロックを送信することに制限されている。一般に、スケジューラは、所与の時刻に送信するためにユーザを選択し、適応変調符号化が使用され、そのユーザが経験する現在のチャネル条件に適した移送フォーマット（変調および符号化）を選択する。チャネル品質推定時の誤りのため、所与の速さ（移送フォーマット）で行われる送信において、比較的レベルの高いフレーム誤りが発生する可能性がある。ハイブリッドＡＲＱは、スループットを著しく損なうことなしに送信誤りから回復するために使用されている。
【０００３】
１ｘＥＶ−ＤＯシステムのためのハイブリッドＡＲＱ動作の一例が図１に示されている。ハイブリッドＡＲＱ送信は、４スロットのインターレース構造（ｉｎｔｅｒｌａｃｉｎｇ  ｓｔｒｕｃｔｕｒｅ）を使用する。すなわち、スロットｎ内の元の送信に対するハイブリッドＡＲＱ再送信は、スロット（ｎ＋４）、（ｎ＋８）内で行われ、以下同様である。単一のユーザに対する送信について、または異なるユーザに対する送信について合計４つのインターレースが使用可能である。図１に示されている例では、新しい、または第１の送信は、スロット２内で、インターレース２上で行われる。図１に示されている例示的な状況では、送信を受信するのに成功せず、受信器は、否定応答（ＮＡＣＫ）を送り返す。ＮＡＣＫは、送信が正しく受信されなかったことを送信器に示し、送信器に同じデータを（やはりインターレース２上の）スロット６内で再送信させる。受信器は、再送信されたデータを、先に受信された第１の送信と組合せ、その２つのデータに基づいて、送信を復号するのに成功する。再送信および組合せのプロセスは、データを受信するのに成功するまで（ＡＣＫによって示されたように、早期終了）、または固定数の試行が行われるまで繰り返すことができることを、当業者なら理解するであろう。データを受信するのに成功した後で、受信器は肯定応答（ＡＣＫ）を送り返す。次いで、送信器は、別の新しい送信をスロット１０内のインターレース２上で開始する。同様に、その送信は、１、３、４など他のインターレース上で平行して行われる。
【０００４】
ユニキャスト・トラフィックと異なり、ブロードキャスト／マルチキャスト・データ・ブロックは、複数の受信器または移動局宛とされる。ブロードキャスト送信では、データ・ブロックは、システム内のすべての移動局宛とされ、一方、マルチキャスト送信では、データ・ブロックは、システム内の移動局のサブセット宛とされる。一般に、移動局からフィードバックは必要とされない。一般に、マルチキャスト送信でもブロードキャスト送信でも、データ・ブロックは、所定の数のスロット上で送信される。すなわち、ハイブリッドＡＲＱのＡＣＫフィードバックによる早期終了はない。
【０００５】
ブロードキャスト・データ・パケット送信が可能な無線システムを様式化して表したものが図２に示されている。ブロードキャスト・データ・パケットは、ブロードキャスト番組を担持する１つまたは複数のブロードキャスト・ストリームからの情報を含む。一般に、２層のチャネル符号化を使用し、誤りに対する頑健性を提供する。外部コードとも呼ばれる符号化の第１層は、周知のリードソロモン符号を使用して行われる。リードソロモン符号は、データに何らかの冗長性を追加する。次いで、リードソロモン符号化ブロックは、ターボ符号化のためにより小さなデータ・ブロックにセグメント化される。同じデータ・ブロックからのいくつかのサブパケット（たとえば、ＳＰ１〜ＳＰ３）が、ターボ符号化の出力部で作成される。一般に、データ・ブロックは、符号化率（ｃｏｄｉｎｇ  ｒａｔｅ）が１より小さい限り、受信されたサブパケット（ＳＰ１〜ＳＰ３）のいずれか１つから回復することができる。表１は、１つ、２つ、または３つのスロット（サブパケット）内で送信された３０７２ビット・データ・ブロックについてデータ転送速度を示す。サブパケットは、持続時間１．６７ｍｓのスロット内で送信される。移動受信器部で受信されたサブパケットを使用し、データ・ブロックを回復する。次いで、データ・ブロックは、ブロードキャスト・パケットを形成するために再組立てされる。
【表１】
2006060822.tif 000003
【０００６】
１ｘＥＶ−ＤＯシステムにおけるブロードキャストおよびユニキャスト・トラフィックは、インターレースごとに多重化される。図３に示されている例では、インターレース１がブロードキャスト・トラフィック用に使用される。ブロードキャスト・データ・ブロックは、システム全体、すなわちシステム内の基地局すべてから３つのスロット、すなわちスロット番号１、５、９上で、３つのサブパケット（ＳＰ１、ＳＰ２、ＳＰ３）内で送信される。したがって、移動局は、複数の基地局から信号を受信し組み合わせることができる可能性がある。移動局はまた、ブロードキャスト・データ・ブロックを回復するために、ＳＰ１、ＳＰ２、ＳＰ３送信を組み合わせる。ＳＰ２送信とＳＰ３送信は、ブロードキャスト・データ・ブロック回復のために追加の冗長性を含む。
【０００７】
従来技術で使用されている、インターレースをベースとする多重化手法は、システム内の異なるセル内で異なる基地局によって異なるブロードキャスト・データ転送速度が使用されるとき問題がある。異なるセル内での異なるデータ転送速度の使用は、セル・サイズが異なるシステム展開においてその場合となる可能性がある。これは、たとえば、郊外および田園地域に囲まれたダウンタウン地域についてその場合とすることができる。人口密度の高い地域内のセル・サイズは、より多くのセル・サイトを提供し、より大量のトラフィックに対処するために、より小さい。しかし、周囲の郊外および田園地域内の人口密度が減少したとき、有効セル・サイズは増大する。より小さいセル展開は、基地局と移動局の間の比較的短い距離により経路損失がより小さいため、一般により高いデータ転送速度をサポートすることができる。より大きなセルは、一般に経路損失がより大きく、したがって、あまり高いデータ転送速度をサポートすることができない。３組のセルを示すセル・レイアウトの一例が、図４に様式化して示されている。７つの中央セルからなる１組が、セットＡとして符号が付けられている。セットＡの周りのセルの第１および第２の輪は、それぞれセットＢおよびセットＣとして符号が付けられている。
【０００８】
異なる組のセル内における異なるデータ転送速度でのブロードキャスト送信の一例が図５に示されている。この例では、セットＡは、ブロードキャスト・データ・ブロックのＳＰ１だけ送信し、最も高い送信データ転送速度を達成する。セットＢは、ブロードキャスト・データ・ブロックのＳＰ１とＳＰ２を共に送信し、したがって、セットＡ速度の半分のデータ転送速度を達成する。同様に、セットＣは、ブロードキャスト・データ・ブロックが３つのサブパケット内で送信されるため、セットＡの３分の１の速度を達成する。ＳＰ２およびＳＰ３は、追加の冗長性を含むことに留意されたい。したがって、数のより少ないサブパケットを使用して送信を復号することができる場合、達成される情報データ転送速度は、より高くなる。
【発明の開示】
【発明が解決しようとする課題】
【０００９】
インターレースが３つを超えるブロードキャスト送信の一例が図６に示されている。インターレースのそれぞれは、１つ、２つ、または３つのサブパケットからなるブロードキャスト・データ・ブロックを担持する。この例では、セットＡ、Ｂ、Ｃは、それぞれ１つ、２つ、および３つのサブパケット内でブロードキャスト・データ・ブロックを送信する。第４のインターレースは、ユニキャスト・トラフィック用に使用される。セットＣでは、スロット１、２、３、５、６、７、９、１０、１１は、ブロードキャスト・トラフィック用に使用され、一方、インターレース番号４内のスロット４、８、１２は、ユニキャスト・トラフィック用に使用される。図６では、ＳＰｉｊは、ｉ番目のデータ・ブロックからのｊ番目のサブパケットを示す。たとえば、ＳＰ２１は、第２のデータ・ブロックからの第１のサブパケットを表す。同じサブパケット番号で、同時に複数のセルから送信されたサブパケットは、データ・パケットを復号する際に助けとなるように受信器部でソフト組合せすることができる可能性がある。図６では、ＳＰ１１、ＳＰ２１、ＳＰ３１が、３組のセルＡ〜Ｃすべてから同時に送信され、したがって、すべてのセルから受信されたこれらのサブパケットは、受信器部で組み合わせられる。同様に、ＳＰ１２、ＳＰ２２、ＳＰ３２は、セル・セットＢおよびセル・セットＣから送信される。したがって、これらのサブパケットは、セル・セットＢおよびセル・セットＣからソフト組合せさせる。一方、セル・セットＡは、ＳＰ１２、ＳＰ２２、ＳＰ３２がセル・セットＢおよびセル・セットＣから送信されるとき、スロット５、６、７の間にユニキャスト・トラフィックを送信しつつある可能性がある。したがって、セル・セットＡからの送信は、セル・セットＢおよびセル・セットＣからの送信と干渉する可能性がある。ＳＰ１３、ＳＰ２３、ＳＰ３３は、セル・セットＣから送信されるだけである。したがって、これらのサブパケットは、セル・セットＡとセル・セットＢのどちらからも干渉を受ける可能性がある。
【００１０】
セル・セットＢでは、スロット９、１０、１１は、ブロードキャスト・トラフィック用に使用されない。というのは、ブロードキャスト・データ・ブロックが２つのサブパケットだけで送信されるからである。したがって、これらの自由なスロットは、ユニキャスト・トラフィックなど他の情報の送信用に考えることができる可能性がある。しかし、ユニキャスト・トラフィックは、ハイブリッドＡＲＱを使用し、複数の送信試行を必要とする可能性がある。たとえば、ユニキャスト・データ・ブロック送信がスロット番号９で開始される場合、送信はスロット番号１３で行われる必要があるが、インターレース番号１に属するスロット番号１３は、ブロードキャスト・データ・ブロック送信用に予約されている。したがって、再送信をユニキャスト・トラフィックのために行うことができない。同様に、セル・セットＡでは、スロット５、６、７、９、１０、１１が使用可能になるが、セル・セットＢにおけるスロット９、１０、１１のように、これらのスロットは、再送信に対する制約によりユニキャスト・トラフィック用に使用することができない。したがって、これらの未使用のスロットは、使用可能でないままとなり、したがって、従来技術で使用されている多重化手法は、スケジューリングに対して重大な制約があり、システム非効率を生じる。
本発明は、上述の問題の１つまたは複数の作用を克服すること、または少なくとも低減することを対象とする。
【課題を解決するための手段】
【００１１】
本発明の一実施形態では、送信を第１および第２のセル内で調整するための方法が提供される。本方法は、ブロードキャスト情報の第１のブロックを第１および第２のサブパケットに変換する工程と、第１のサブパケットを第１のタイム・スロット中に第１および第２のセル内で送信する工程と、第２のサブパケットを第２のタイム・スロット中に第２のセル内で送信する工程とを含む。ブロードキャスト情報の第２のブロックは、第３および第４のサブパケットに変換され、第３のサブパケットは、ｎ＋１タイム・スロット中に第１および第２のセル内で送信され、第４のサブパケットは、ｎ＋２タイム・スロット中に第２のセル内で送信される。
【００１２】
本発明の他の実施形態では、ブロードキャスト送信を第１および第２のセルから受信するための方法が提供される。本方法は、第１のサブパケットを第１のタイム・スロット中に第１および第２のセルから受信する工程と、第２のサブパケットを第２のタイム・スロット中に第２のセルから受信する工程と、第１および第２のセルから受信された第１のサブパケット同士を組み合わせる工程とを含む。第３のサブパケットが、ｎ＋１タイム・スロット中に第１および第２のセルから受信される。第４のサブパケットが、ｎ＋２タイム・スロット中に第２のセルから受信される。第１および第２のセルから受信された第３のサブパケット同士が組み合わせられる。ユニキャスト情報の第１のサブパケットが、第２のタイム・スロット中に第１のセルから受信され、ユニキャスト情報の第１のサブパケットの再送信が、ｎ＋２タイム・スロット中に第１のセルから受信される。
【００１３】
本発明は、同様の参照番号が同様の要素を識別する添付の図面と共に以下の説明を参照することによって理解することができる。
本発明は、様々な修正や代替の形態が可能であるが、その特定の実施形態が図面内で例として示されており、本明細書で詳しく述べる。しかし、本明細書における特定の実施形態の説明は、開示されている特定の形態に本発明を限定するものではなく、添付の特許請求の範囲によって定義された本発明の精神および範囲内に入る修正、均等物、代替すべてを包含することが意図されていることを理解されたい。
【発明を実施するための最良の形態】
【００１４】
本発明の例示的な諸実施形態について以下で述べる。見やすいように、実際の実施の特徴すべてについて本明細書で述べられてはいない。当然ながら、任意のそのような実際の実施の開発時には、システム関連の、またビジネス関連の制約の遵守など、ある実施と別の実施とで変わる可能性がある開発者の特定の目標を達成するために、多数の実施特有の判断を行うことができることを理解されたい。さらに、そのような開発努力は、複雑かつ時間のかかるものとなる可能性があるが、本開示の利益を有する当業者にとって型どおりの仕事となるはずであることを理解されたい。
【００１５】
本発明は、ユニキャストおよびブロードキャスト・トラフィックのための新規な多重化方式を提供する。一般に、本発明の多重化方式は、従来技術におけるスケジューリング制約を克服し、普通ならブロードキャスト動作によって使用されないはずのスロット中に、ユニキャスト・データのＨＡＲＱ送信および再送信の使用を可能にする。
【００１６】
本発明の一態様によるデータ・ブロック送信の一例が図７に示されている。図の実施形態では、セル・セットＡ、Ｂ、Ｃが、それぞれ１８４３．２、９２１．６、６１４．４Ｋｂ／ｓのデータ転送速度を使用することが仮定されている。表１に与えられているように、これらの３つのデータ転送速度は、サイズ３０７２ビットのデータ・ブロックについて、１つ、２つ、３つのサブパケット（スロット）を送信することによって達成される。したがって、セル・セットＡ、Ｂ、Ｃは、各データ・ブロックについて、それぞれ１つ、２つ、３つのサブパケット（スロット）を送信する。本発明の一実施形態では、所与のデータ・ブロックからのサブパケットは、連続的に送信される。たとえば、データ・ブロック番号１からのサブパケットＳＰ１１、ＳＰ１２、ＳＰ１３は、セル・セットＣから、それぞれスロット１、２、３内で送信される。同様に、ＳＰ１１およびＳＰ１２は、セル・セットＢから、それぞれスロット１および２内で送信される。セル・セットＡは、スロット番号１内でサブパケットＳＰ１１だけ送信する。複数のセル・セットＡ、Ｂ、Ｃにおける少なくとも１つのセルからＳＰ１１サブパケットを受信する受信器は、送信誤りを補正するためにＳＰ１１サブパケット同士を組み合わせることができる。受信器がセル・セットＡ、Ｂ、Ｃの３つすべてからサブパケットＳＰ１１を受信する場合には、受信されたサブパケットの３つすべてを組み合わせることができ、一方、受信器がセル・セットＡ、Ｂ、Ｃのうち２つだけからサブパケットＳＰ１１を受信する場合には、２つの受信済みサブパケットを組み合わせることができる。
【００１７】
同様に、ＳＰ１２サブパケットは、セル・セットＢおよびセル・セットＣから組み合わせることができる。本発明の図の実施形態では、従来技術方式の場合と同じ数の、サブパケット同士の組合せを行うことができるが、比較的高いデータ転送速度を使用するセル内でブロードキャスト用に使用されないスロットは、今、スケジューリング制約なしにユニキャスト・トラフィック用に使用することができることに留意されたい。すなわち、図の多重化方式を使用することにより、より高い速度のセルの未使用タイム・スロット中に、ユニキャスト・データの従来型ＨＡＲＱ送信および再送信が可能になる。たとえば、セル・セットＢでは、インターレース３に属するスロット３、７、１１は、ブロードキャスト・トラフィックがなく、ハイブリッドＡＲＱ再送信を必要とするユニキャスト・トラフィック用に使用することができる。すなわち、セル・セットＢでは、スロット３、７、１１は、送信および再送信用に常に自由となる。換言すれば、セル・セットＢ内のインターレース３は、ユニキャスト・トラフィックに常に使用可能となる。
【００１８】
同様に、インターレース２および３は共に、セル・セットＡ内で自由である。本発明の１つの利点は、インターレース内のいくつかのスロットではなく、完全なインターレースが使用可能となることである。換言すれば、本発明は、所与の組のセル内でブロードキャスト・トラフィック用に割り振られたインターレースの数を最小限に抑える。ユニキャスト・トラフィックを、どんなスケジューリング制約や再送信制約もなしにインターレースを介して搬送することができる。というのは、任意の数の再送信をそのインターレース内で行うことができるからである。たとえば、２つの再送信が許されると仮定すると、最初の送信はスロット２内で行うことができるが、２つの後続の再送信は、スロット６および１０内で行うことができる。さらに３つの再送信が許されると仮定すると、最初の送信はスロット２内で行うことができるが、最初の２つの後続再送信は、スロット６および１０内で行うことができ、第３の再送信は、スロット１４内で行うことができる。このようにして、任意の数の再送信を可能にすることができる。
【００１９】
複数のセルから受信されたサブパケット同士は、様々な方法のいずれかで組み合わせることができることを、当業者なら理解するであろう。直交周波数分割多重（ＯＦＤＭ）技法がサブパケット送信用に使用されたとき、セルのそれぞれから受信された複合信号に対してＦＦＴ（高速フーリエ変換）動作を行うことができる。したがって、信号組合せは、ＯＦＤＭ復調の一部として行われる。別法として、ＲＡＫＥ受信器を使用するＣＤＭＡの場合には、ＲＡＫＥフィンガのそれぞれからの受信信号を組み合わせることができる。ＲＡＫＥフィンガを使用し、１つのセルから受信された信号を追跡および復調することができる。したがって、使用可能なＲＡＫＥフィンガの数により、サブパケット同士を組み合わせることができるセルの最大数が制限される。複数のセルから受信された信号を復号するために、等化器を使用することもできる。
【００２０】
次に図８に転じると、代替の多重化方式が様式化して示されている。この例示的な実施形態では、セル・セットＣは、６１４．４Ｋｂ／ｓの最も低いデータ転送速度で送信するために２つのインターレースを必要とするにすぎない。サブパケットＳＰ１１およびＳＰ１２は、セル・セットＣ内で、スロット１および２内で連続的に送信される。第１のブロックからの第３のサブパケット、すなわちＳＰ１３は、後でスロット６内で送信される。第２のデータ・ブロックからの第１のサブパケットＳＰ２１は、スロット５内で送信される。したがって、第１のデータ・ブロックからの第３のサブパケットＳＰ１３は、第２のデータ・ブロックからの第１のサブパケットＳＰ２１の後で送信される、すなわちサブパケットの順序外れ送信である。この順序外れ送信は、セル・セットＡ、Ｂ、Ｃを跨いでＳＰ２１を組み合わせることを可能にし、一方、セル・セットＡ内のブロードキャスト・トラフィックについて１つのインターレースを必要とするにすぎない。従来技術の多重化方式では、システム全体（セル・セットＡ、Ｂ、Ｃ）内で、２つのインターレースがブロードキャスト・トラフィックによって遮断されていることになる。本発明によって許されるソフト組合せの数は、従来技術の場合と同じである。
【００２１】
本明細書で様々な実施形態において示されている様々なシステム・レイヤ、ルーチン、またはモジュールは、実行可能な制御ユニットとすることができることを、当業者なら理解するであろう。制御ユニットには、マイクロプロセッサ、マイクロコントローラ、デジタル信号プロセッサ、（１つまたは複数のマイクロプロセッサまたはコントローラを含む）プロセッサ・カード、または他の制御もしくはコンピューティング・デバイス、ならびに１つまたは複数の記憶装置内に含まれる実行可能命令が含まれる可能性がある。記憶装置には、データおよび命令を記憶するための１つまたは複数の機械可読記憶媒体が含まれる可能性がある。記憶媒体には、ダイナミック・ランダム・アクセス・メモリまたはスタティック・ランダム・アクセス・メモリ（ＤＲＡＭまたはＳＲＡＭ）、消去可能なプログラマブル読取り専用メモリ（ＥＰＲＯＭ）、電気的消去可能なプログラマブル読取り専用メモリ（ＥＥＰＲＯＭ）、フラッシュ・メモリなど半導体メモリ・デバイスを含む様々な形態のメモリ、固定ディスク、フロッピー（登録商標）・ディスク、取外し式ディスクなど磁気ディスク、テープを含む他の磁気媒体、および、コンパクト・ディスク（ＣＤ）またはデジタル・ビデオ・ディスク（ＤＶＤ）など光媒体が含まれる可能性がある。様々なシステムにおいて様々なソフトウェア・レイヤ、ルーチン、またはモジュールを構成する命令は、それぞれの記憶装置に記憶することができる。命令は、それぞれの制御ユニットによって実行されたとき、対応するシステムに、プログラムされた動作を実行させる。
【００２２】
本発明は、本明細書における教示の利益を有する当業者に明らかな、異なるが均等な形で修正および実施することができるため、上記で開示されている特定の実施形態は、例示的なものにすぎない。さらに、下記の特許請求の範囲内で述べられているもの以外、本明細書に示されている構成または設計の詳細に対して、限定は意図されていない。したがって、上記で開示されている特定の実施形態は、変更または修正することができ、そのような変形形態すべてが本発明の範囲および精神内にあるものとみなされることは自明である。したがって、本明細書で受けようとする保護は、下記の特許請求の範囲で述べられているものと同様である。
【図面の簡単な説明】
【００２３】
【図１】１ｘＥＶ−ＤＯシステムのためのハイブリッドＡＲＱ動作を様式化して表した図である。
【図２】ブロードキャスト・データ・パケット送信が可能な無線システムを様式化して表した図である。
【図３】ブロードキャストおよびユニキャスト・トラフィックを１ｘＥＶ−ＤＯシステムにおいてインターレースごとに多重化するための１つの方式を示す図である。
【図４】それぞれが異なる速度で送信する３組のセルを示す例示的なセル・レイアウトを示す図である。
【図５】異なる組のセル内における異なるデータ転送速度でのブロードキャスト送信のための多重化方式の例示的な実施形態を示す図である。
【図６】インターレースが３つを超えるブロードキャスト送信の例示的な実施形態を示す図である。
【図７】本発明の一態様によるデータ・ブロック送信の例示的な実施形態を様式化して示す図である。
【図８】本発明の一態様によるデータ・ブロック送信の代替の例示的な実施形態を様式化して示す図である。
【図１】
2006060822.tif 000004
【図２】
2006060822.tif 000005
【図３】
2006060822.tif 000006
【図４】
2006060822.tif 000007
【図５】
2006060822.tif 000008
【図６】
2006060822.tif 000009
【図７】
2006060822.tif 000010
【図８】
2006060822.tif 000011